(57)【要約】【課題】車椅子から取り外すことなく車椅子を折畳み可能にする背シートの提供。【解決手段】背シート２５は、回動自在な左右クランプ２６、２７と、左右クランプ２６、２７に各々固着される左右サブプレート２８、２９と、左右サブプレート２８、２９間に配される左右メインプレート３０、３１と、左サブプレート２８と左メインプレート３０とを連結し、左サブプレート２８の右端部及び左メインプレート３０の左端部を常時前方へ付勢する左スプリング丁番３２と、右サブプレート２９と右メインプレート３１とを連結し、右サブプレート２９の左端部及び右メインプレート３１の右端部を常時前方へ付勢する右スプリング丁番３３と、左メインプレート３０と右メインプレート３１とを連結し、左メインプレート３０の前面と右メインプレート３１の前面とのなす角度θが１８０°未満に減少することを規制するストッパー機能付き丁番３４とを備える。【選択図】図３
2008259632.tif 000002
【特許請求の範囲】
【請求項１】
車椅子の左背パイプ部と右背パイプ部との間に配設される背シートにおいて、
前記左背パイプ部に回動自在に取り付けられる左クランプと、
前記右背パイプ部に回動自在に取り付けられる右クランプと、
前記左クランプの前面に当該左サブプレートの左端部が固着される左サブプレートと、
前記右クランプの前面に当該右サブプレートの右端部が固着される右サブプレートと、
前記左サブプレートと前記右サブプレートとの間に配される左メインプレート及び右メインプレートと、
前記左サブプレートの右端部と前記左メインプレートの左端部とを連結する左スプリング丁番であって、前記左サブプレートの右端部及び前記左メインプレートの左端部を常時前方へ付勢する弾性力を有する左スプリング丁番と、
前記右サブプレートの左端部と前記右メインプレートの右端部とを連結する右スプリング丁番であって、前記右サブプレートの左端部及び前記右メインプレートの右端部を常時前方へ付勢する弾性力を有する右スプリング丁番と、
前記左メインプレートの右端部と前記右メインプレートの左端部とを連結するストッパー機能付き丁番であって、前記左メインプレートの前面と前記右メインプレートの前面とのなす角度が１８０°未満に減少することを規制するストッパー機能を有するストッパー機能付き丁番と
を備え、車椅子の使用時、前記左サブプレート、前記左メインプレート、前記右メインプレート及び前記右サブプレートは、全体として平面視略直線状に配列され、また、車椅子の折畳み時、前記左サブプレート、前記左メインプレート、前記右メインプレート及び前記右サブプレートは、全体として平面視略W字状に配列されるよう構成される
ことを特徴とする車椅子の折畳み式背シート。
【発明の詳細な説明】
【技術分野】
【０００１】
本発明は、車椅子の折畳み式背シートに関する。
【背景技術】
【０００２】
一般に、車椅子の背シートには軟質な背シートが用いられ、軟質な背シートを用いた車椅子は折畳み可能である。しかし、脊髄を損傷した人などが利用する車椅子には、高い体幹保持性が求められるため、硬質な背シートが用いられる。
【発明の開示】
【発明が解決しようとする課題】
【０００３】
しかし、硬質な背シートを用いた車椅子は、背シートを装着したままでは折畳むことができず、背シートを車椅子から取り外さないと折畳むことができなかった。このため、車椅子を折畳むために手間がかかっていた。
【０００４】
本発明は、上記のような問題点を解決し、硬質な背シートを車椅子から取り外さなくても車椅子を折畳み可能にする背シートを提供することを目的とする。
【課題を解決するための手段】
【０００５】
本発明による車椅子の折畳み式背シートは、車椅子の左背パイプ部と右背パイプ部との間に配設される背シートにおいて、前記左背パイプ部に回動自在に取り付けられる左クランプと、前記右背パイプ部に回動自在に取り付けられる右クランプと、前記左クランプの前面に当該左サブプレートの左端部が固着される左サブプレートと、前記右クランプの前面に当該右サブプレートの右端部が固着される右サブプレートと、前記左サブプレートと前記右サブプレートとの間に配される左メインプレート及び右メインプレートと、前記左サブプレートの右端部と前記左メインプレートの左端部とを連結する左スプリング丁番であって、前記左サブプレートの右端部及び前記左メインプレートの左端部を常時前方へ付勢する弾性力を有する左スプリング丁番と、前記右サブプレートの左端部と前記右メインプレートの右端部とを連結する右スプリング丁番であって、前記右サブプレートの左端部及び前記右メインプレートの右端部を常時前方へ付勢する弾性力を有する右スプリング丁番と、前記左メインプレートの右端部と前記右メインプレートの左端部とを連結するストッパー機能付き丁番であって、前記左メインプレートの前面と前記右メインプレートの前面とのなす角度が１８０°未満に減少することを規制するストッパー機能を有するストッパー機能付き丁番とを備え、車椅子の使用時、前記左サブプレート、前記左メインプレート、前記右メインプレート及び前記右サブプレートは、全体として平面視略直線状に配列され、また、車椅子の折畳み時、前記左サブプレート、前記左メインプレート、前記右メインプレート及び前記右サブプレートは、全体として平面視略W字状に配列されるよう構成されることを特徴とする。
【０００６】
本発明の折畳み式背シートは、車椅子の使用時には、ストッパー機能付き丁番により、利用者が背シートに背中を押し付けても左メインプレートの前面と右メインプレートの前面とのなす角度が１８０°未満になることはなく、背シートの形状を平面視直線状に保持することができる。また、利用者が背シートに背中を押し付けているとき、左メインプレートの左端部及び右メインプレートの右端部にそれぞれ後方への力が作用するが、左スプリング丁番の弾性力により左メインプレートの左端部が前方へ付勢されていると共に、右スプリング丁番の弾性力により右メインプレートの右端部が前方へ付勢されているため、左メインプレート及び右メインプレートの後方への移動が抑制される。
【０００７】
本発明の折畳み式背シートを折畳むにあたっては、車椅子に対し、左背パイプ部と右背パイプ部を互いに接近させる方向の力を加えるようにする。車椅子にこの力が加えられると、左スプリング丁番の弾性力に抗して左サブプレートの右端部及び左メインプレートの左端部が後方へ移動すると共に左クランプが平面視時計方向へ回動し、また、右スプリング丁番の弾性力に抗して右サブプレートの左端部及び右メインプレートの右端部が後方へ移動すると共に右クランプが平面視反時計方向へ回動する。また、左メインプレートの左端部の後方への移動及び右メインプレートの右端部の後方への移動に伴い、ストッパー機能付き丁番により、左メインプレートの右端部及び右メインプレートの左端部は前方へ移動する。このような動作により、背シートは、最終的に平面視略W字状の折畳み状態となる。
【０００８】
本発明の折畳み式背シートによると、背シートを車椅子に装着したままで車椅子の折畳みが可能になるため、手間をかけることなく車椅子を折畳むことが可能になる。また、車椅子を折畳めることから、コンパクトになり、車に積みやすく、収納しやすくなる。また、平面視略W字状に折畳まれるため、座シートと干渉しないで折畳むことができる。また、本発明の折畳み式背シートは硬質であり、左右の背パイプ部間を連結する構造であるため、車椅子自体の剛性が向上する。なお、平面視V字状に折畳む構成を採用した場合には、利用者が背シートにもたれたときに背シートの反力が体を圧迫する方向の力として作用するため、体幹保持性を確保できなくなる。
【発明を実施するための最良の形態】
【０００９】
以下、本発明の実施形態を図面に基づいて説明する。
【００１０】
図１は、本発明の一実施形態に係る折畳み式背シートが組み込まれる折畳み式車椅子の基本構成図、図２は、同折畳み式背シートの使用時の背面図、図３は、同折畳み式背シートの使用時の平面図、図４は、同折畳み式背シートの折り畳み時の平面図をそれぞれ示す。
【００１１】
図１において、１は、利用者の臀部が乗る座シート、２は、左フレーム、３は、前側X字構造体、４は、後側X字構造体をそれぞれ表す。
【００１２】
座シート１の左端部は、左シートパイプ５に固定されている。また、図示はしないが、シート１の右端部は、右シートパイプに固定されている。
【００１３】
左フレーム２の第１前パイプ部６の下端部に左キャスター７が装着されている。また、図示はしないが、右フレームの第１前パイプ部の下端部に右キャスターが装着されている。
【００１４】
左フレーム２の第２前パイプ部８の下端部と右フレームの第２前パイプ部との間に、折畳み式フットレスト９が配設されている。
【００１５】
左フレーム２の上パイプ部１０の後端部には、略垂直に上方へ延びる左背パイプ部１１が設けられている。また、右フレームの上パイプ部の後端部には、略垂直に上方へ延びる右背パイプ部１２（図２〜図４）が設けられている。
【００１６】
左フレーム２の下パイプ部１３の後部と上パイプ部１０の後部との間に、左軸受保持部１４が配設されている。左軸受保持部１４は、左車輪１５の軸部を回動自在に保持する左軸受部を保持する。上パイプ部１０の下方には、左車輪１５の回転を防止する手動式の左車輪制動手段１６が設けられている。また、図示しないが、右フレームの下パイプ部の後部と上パイプ部の後部との間に、右軸受保持部が配設されている。右軸受保持部は、右車輪の軸部を回動自在に保持する軸受部を保持する。上パイプ部の下方には、右車輪の回転を防止する手動式の右車輪制動手段が設けられている。
【００１７】
さらに、左フレーム２の上パイプ部１０の前端部には、左シートパイプ５の前端部を下方から支持する左前支持部材１７が取り付けられている。また、図示しないが、右フレームの上パイプ部の前端部には、右シートパイプの前端部を下方から支持する右前支持部材が取り付けられている。
【００１８】
左フレーム２の上パイプ部１０の後端部と左背パイプ部１１の下端部とで挟まれた部位には、左シートパイプ５の後端部を下方から支持する左後支持部材１８が取り付けられている。また、図示しないが、右フレームの上パイプ部の後端部と右背パイプ部１２の下端部とで挟まれた部位には、右シートパイプの後端部を下方から支持する右後支持部材が取り付けられている。
【００１９】
前側X字構造体３は、第１連結ロッド１９と第２連結ロッド２０を備える。第１連結ロッド１９の一端部（上端部）は、右シートパイプに固着されている。第１連結ロッド１９の他端部（下端部）は、左フレーム２の下パイプ部１３に回動自在に軸結合されている。第２連結ロッド２０の一端部（上端部）は、左シートパイプ５に固着されている。第２連結ロッド２０の他端部（下端部）は、右フレームの下パイプ部に回動自在に軸結合されている。第１連結ロッド１９と第２連結ロッド２０は、互いに交差しており、両交差部は軸部２１によって結合されている。つまり、第１連結ロッド１９と第２連結ロッド２０は、軸部２１を支点として回動自在とされ、両者１９、２０のなす角度は変化可能である。
【００２０】
後側X字構造体４は、上記前側X字構造体３と略同様に構成され、第１連結ロッド１９に対応する第３連結ロッド２２と、第２連結ロッド２０に対応する第４連結ロッド２３と、軸部２１に対応する軸部２４とを備え、第３連結ロッド２２と第４連結ロッド２３は、軸部２１を支点として回動自在とされ、両者２２、２３のなす角度は変化可能である。
【００２１】
左背パイプ部１１と右背パイプ部１２との間に、図２〜図４に示す背シート２５が配設される。
【００２２】
図２〜図４において、背シート２５は、左背パイプ部１１に回動自在に取り付けられる左クランプ２６と、右背パイプ部１２に回動自在に取り付けられる右クランプ２７を備える。左クランプ２６の前面に、左サブプレート２８の左端部が固着される。右クランプ２７の前面に、右サブプレート２９の右端部が固着される。左サブプレート２８と右サブプレート２９との間に、左メインプレート３０及び右メインプレート３１が配設される。左サブプレート２８の右端部と左メインプレート３０の左端部は、左スプリング丁番３２により連結される。左スプリング丁番３２は、左サブプレート２８の右端部及び左メインプレート３０の左端部を常時前方へ付勢する弾性力を有する。右サブプレート２９の左端部と右メインプレート３１の右端部は、右スプリング丁番３３により連結される。右スプリング丁番３３は、右サブプレート２９の左端部及び右メインプレート３１の右端部を常時前方へ付勢する弾性力を有する。左メインプレート３０の右端部と右メインプレート３１の左端部は、ストッパー機能付き丁番３４により連結される。ストッパー機能付き丁番３４は、左メインプレート３０の前面と右メインプレート３１の前面とのなす角度θが１８０°未満に減少することを規制するストッパー機能を有する。左サブプレート２８、左メインプレート３０、右メインプレート３１及び右サブプレート２９の前面には、クッション３５が配設される。
【００２３】
車椅子の使用時、背シート２５は図２及び図３に示すような状態にある。つまり、左サブプレート２８、左メインプレート３０、右メインプレート３１及び右サブプレート２９は、全体として平面視略直線状に配列される。また、左シートパイプ５は左前支持部材１７及び左後支持部材１８により支持され、右シートパイプは右前支持部材及び右後支持部材により支持されている。
【００２４】
また、車椅子の使用時、ストッパー機能付き丁番３４により、利用者が背シート２５に背中を押し付けても左メインプレート３０の前面と右メインプレート３１の前面とのなす角度θが１８０°未満になることはなく、背シート２５の形状は平面視直線状に保持される。また、利用者が背シート２５に背中を押し付けているとき、左メインプレート３０の左端部及び右メインプレート３１の右端部にそれぞれ後方への力が作用するが、左スプリング丁番３２の弾性力により左メインプレート３０の左端部が前方へ付勢されていると共に、右スプリング丁番３３の弾性力により右メインプレート３１の右端部が前方へ付勢されているため、左メインプレート３０及び右メインプレート３１の後方への移動が抑制される。
【００２５】
車椅子を折畳むにあたっては、座シート１の前端部及び後端部の中央部を両手で掴み、上方へ引き上げる力を加える。この引上げ力が座シート１に加わると、座シート１を介して左シートパイプ５及び右シートパイプはそれぞれ上方へ変位し、第１連結ロッド１９及び第２連結ロッド２０は、軸部２１を中心に回動し、各上端部の間隔が縮小する方向へ変位する。同時に、第３連結ロッド２２及び第４連結ロッド２３も、軸部２４を中心に回動し、各上端部の間隔が縮小する方向へ変位する。このため、左フレーム２と右フレームの間隔が縮小する。換言すると、車椅子の左右の幅が縮小する。
【００２６】
この車椅子の左右の幅の縮小に伴い、左背パイプ部１１と右背パイプ部１２に対し互いに接近する方向の力が加わる。この力により、左スプリング丁番３２の弾性力に抗して左サブプレート２８の右端部及び左メインプレート３０の左端部が後方へ移動すると共に左クランプ２６が平面視時計方向へ回動し、また、右スプリング丁番３３の弾性力に抗して右サブプレート２９の左端部及び右メインプレート３１の右端部が後方へ移動すると共に右クランプ２７が平面視反時計方向へ回動する。そして、左メインプレート３０の左端部の後方への移動及び右メインプレート３１の右端部の後方への移動に伴い、ストッパー機能付き丁番３４により、左メインプレート３０の右端部及び右メインプレート３１の左端部は前方へ移動する。このような動作により、背シート２５は、最終的に、図４に示すような平面視略W字状の折畳み状態となる。
【００２７】
以上説明したように、本実施形態に係る折畳み式背シート２５は、左背パイプ部１１に回動自在に取り付けられる左クランプ２６と、右背パイプ部１２に回動自在に取り付けられる右クランプ２７と、左クランプ２６の前面に左端部が固着される左サブプレート２８と、右クランプ２７の前面に右端部が固着される右サブプレート２９と、左サブプレート２８と右サブプレート２９との間に配される左メインプレート３０及び右メインプレート３１と、左サブプレート２８の右端部と左メインプレート３０の左端部とを連結する左スプリング丁番３２であって、左サブプレート２８の右端部及び左メインプレート３０の左端部を常時前方へ付勢する弾性力を有する左スプリング丁番３２と、右サブプレート２９の左端部と右メインプレート３１の右端部とを連結する右スプリング丁番３３であって、右サブプレート２９の左端部及び右メインプレート３１の右端部を常時前方へ付勢する弾性力を有する右スプリング丁番３３と、左メインプレート３０の右端部と右メインプレート３１の左端部とを連結するストッパー機能付き丁番３４であって、左メインプレート３０の前面と右メインプレート３１の前面とのなす角度θが１８０°未満に減少することを規制するストッパー機能を有するストッパー機能付き丁番３４とを備え、車椅子の使用時、左サブプレート２８、左メインプレート３０、右メインプレート３１及び右サブプレート２９は、全体として平面視略直線状に配列され、また、車椅子の折畳み時、左サブプレート２８、左メインプレート３０、右メインプレート３１及び右サブプレート２９は、全体として平面視略W字状に配列されるよう構成され、折畳み可能な硬質な背シートである。
【００２８】
本実施形態の折畳み式背シート２５によると、背シート２５を車椅子に装着したままで車椅子の折畳みが可能になるため、手間をかけることなく車椅子を折畳むことが可能になる。また、車椅子を折畳めることから、コンパクトになり、車に積みやすく、収納しやすくなる。また、平面視略W字状に折畳まれるため、座シート１と干渉しないで折畳むことができる。また、本実施形態の折畳み式背シート２５は硬質であり、左右の背パイプ部１１、１２間を連結する構造であるため、車椅子自体の剛性が向上する。なお、平面視V字状に折畳む構成を採用した場合には、利用者が背シートにもたれたときに背シートの反力が体を圧迫する方向の力として作用するため、体幹保持性を確保できなくなる。
【図面の簡単な説明】
【００２９】
【図１】本発明の一実施形態に係る折畳み式背シートが組み込まれる折畳み式車椅子の基本構成図である。
【図２】同折畳み式背シートの使用時の背面図である。
【図３】同折畳み式背シートの使用時の平面図である。
【図４】同折畳み式背シートの折り畳み時の平面図である。
【符号の説明】
【００３０】
１１    左背パイプ部
１２    右背パイプ部
２５    背シート
２６    左クランプ
２７    右クランプ
２８    左サブプレート
２９    右サブプレート
３０    左メインプレート
３１    右メインプレート
３２    左スプリング丁番
３３    右スプリング丁番
３４    ストッパー機能付き丁番
【図１】
2008259632.tif 000003
【図２】
2008259632.tif 000004
【図３】
2008259632.tif 000005
【図４】
2008259632.tif 000006